(57)【要約】【課題】異方性反射散乱特性を有するエンボスシートと、このエンボスシートを備えた化粧シートとを提供する。【解決手段】シート状の基材３の一方の面３１側に設けられ、第１の方向と、第２の方向とに互いに離間して配置された複数のレンズ２を備える。複数のレンズの各々は、入射した光を反射する反射主面と、反射主面と基材とを接続する接続面とを有する。第１の方向に平行な第１の断面において、反射主面２１の形状は例えば直線状である。第１の断面において、直線状である反射主面の中心部に平行な直線と、基材の一方の面とが交差する角度を反射主面の傾斜角度θ１としたとき、傾斜角度θ１は−４０度以上４０度以下の範囲内である。複数のレンズのうちの１つ以上のレンズは、複数のレンズのうちの他のレンズと傾斜角度θ１が異なる。複数のレンズのうちの１つ以上のレンズは、複数のレンズのうちの他のレンズと第２の方向における長さが異なる。【選択図】図１
2017128089.tif 000002
【特許請求の範囲】
【請求項１】
シート状の基材と、
前記基材の一方の面側に設けられ、第１の方向と、前記第１の方向と平面視で交差する第２の方向とに互いに離間して配置された複数のレンズと、を備え、
前記複数のレンズの各々は、入射した光を反射する反射主面と、前記反射主面と前記基材とを接続する接続面とを有し、
前記第１の方向に平行な第１の断面において、前記反射主面の形状は、直線状又は、前記反射主面の２つの端点を結んだ直線と該端点とにおける接線とが交差する角度が０度以上４０度以下となる湾曲線状であり、
前記第１の断面において、前記直線状である前記反射主面の中心部に平行な直線又は、前記湾曲線状である前記反射主面の中心部における接線と、前記基材の一方の面とが交差する角度を前記反射主面の傾斜角度としたとき、前記傾斜角度は−４０度以上４０度以下の範囲内であり、
前記複数のレンズのうちの１つ以上のレンズは、前記複数のレンズのうちの他のレンズと前記傾斜角度が異なり、
前記複数のレンズのうちの１つ以上のレンズは、前記複数のレンズのうちの他のレンズと前記第２の方向における長さが異なることを特徴とするエンボスシート。
【請求項２】
前記複数のレンズのうち、前記第２の方向で隣り合う一対のレンズの重心間距離は、前記第２の方向で隣り合う他の一対のレンズの重心間距離と長さが異なることを特徴とする請求項１に記載のエンボスシート。
【請求項３】
前記複数のレンズのうちの前記第２の方向で隣り合う一対のレンズの離間距離は、前記第２の方向で隣り合う他の一対のレンズの離間距離と長さが異なることを特徴とする請求項１又は請求項２に記載のエンボスシート。
【請求項４】
前記複数のレンズは、複数のレンズが前記第２の方向に重心を揃えて列を成すレンズ群を複数構成しており、
前記複数のレンズ群において、前記第１の方向におけるレンズ群の配置は等間隔であることを特徴とする請求項１から請求項３の何れか一項に記載のエンボスシート。
【請求項５】
前記複数のレンズは、該レンズの重心を前記第２の方向に揃えて並ぶレンズ群を複数構成するように配置されており、
前記複数のレンズ群において、前記第１の方向で隣り合う一対のレンズ群の間隔は、前記第１の方向で隣り合う他の一対のレンズ群の間隔と長さが異なることを特徴とする請求項１から請求項４の何れか一項に記載のエンボスシート。
【請求項６】
前記レンズの前記第１の方向の巾をＤｘとしたとき、
前記第１の方向で隣り合うレンズ群の間隔Ｗは、１．２≦Ｗ≦２、の条件を満たすことを特徴とする請求項４又は請求項５に記載のエンボスシート。
【請求項７】
前記レンズの前記第１の方向の巾をＤｘとし、前記レンズの前記第２の方向の巾をＤｙとしたとき、
Ｄｘは５０μｍ以上５００μｍ以下であり、
ＤｘとＤｙは、１≦Ｄｙ／Ｄｘ≦１０、の条件を満たすことを特徴とする請求項１から請求項６の何れか一項に記載のエンボスシート。
【請求項８】
前記第１の断面において、前記接続面は前記反射主面の一端側にのみ設けられており、前記反射主面の他端側は前記基材の一方の面に直に接続していることを特徴とする請求項１から請求項７の何れか一項に記載のエンボスシート。
【請求項９】
前記傾斜角度は、前記複数のレンズの配置位置に沿って変動したように設定されていることを特徴とする請求項１から請求項８の何れか一項に記載のエンボスシート。
【請求項１０】
前記傾斜角度は前記第１の方向及び前記第２の方向のそれぞれに沿って変動したように設定されており、
前記第１の方向における前記傾斜角度の最大差は、前記第２の方向における前記傾斜角度の最大差よりも大きいことを特徴とする請求項９に記載のエンボスシート。
【請求項１１】
前記傾斜角度の前記第１の方向に沿う変動は周期的であることを特徴とする請求項９又は請求項１０に記載のエンボスシート。
【請求項１２】
前記傾斜角度は前記第１の方向及び前記第２の方向のそれぞれに沿って変動したように設定されており、
前記第２の方向における前記傾斜角度の最大差は、前記第１の方向における前記傾斜角度の最大差よりも大きいことを特徴とする請求項９に記載のエンボスシート。
【請求項１３】
前記傾斜角度の前記第２の方向に沿う変動は周期的であることを特徴とする請求項９又は請求項１２に記載のエンボスシート。
【請求項１４】
前記傾斜角度の周期的な変動のパターンは、前記基材の一方の面側の複数の領域間で互いに異なることを特徴とする請求項１１又は請求項１３に記載のエンボスシート。
【請求項１５】
前記複数のレンズ及び前記基材の一方の面の少なくとも一方は、表面粗さＲａが０．０１μｍ以上２０μｍ以下であることを特徴とする請求項１から請求項１４の何れか一項に記載のエンボスシート。
【請求項１６】
請求項１から請求項１５の何れか一項に記載のエンボスシートを備えることを特徴とする化粧シート。
【発明の詳細な説明】
【技術分野】
【０００１】
本発明は、エンボスシート、化粧シートに関する。
【背景技術】
【０００２】
従来、内装や家具の表面材として使用される化粧板としては、基材の表面に木材単板を貼り合わせた突板化粧板が広く用いられてきた。しかし近年、天然資材の枯渇により、合板等の基材に木目模様を印刷した化粧シートを貼り合わせた化粧板が多く使用されている。
しかしながら、印刷化粧シートでは、木材の質感（照り感や導管形状等）の表現に乏しい。そこで先行文献１には、比較的入手のしやすい針葉樹材を薄く平坦にした木材基板の上に、広葉樹材の木目模様を裏面に印刷した透明ポリチオフェン系樹脂からなる化粧シートを貼り合わせる方法が開示されている。この方法により、木目が本来有するいわゆる照り感や木質感を反映した、意匠性に優れた化粧材を提供することができる。
【先行技術文献】
【特許文献】
【０００３】
【特許文献１】特許第３６７２６３６号公報
【発明の概要】
【発明が解決しようとする課題】
【０００４】
天然木の木目模様に現れる「照り感」とは、照明光の正反射方向とは異なる方向に現れる光沢感であり、照明角度や観察角度を移動すると「照り」が生じる箇所も移動する。
「照り」の移動には方向性があり、この要因は天然木の細胞内腔が繊維状のためと考えられる。すなわち細胞内腔の繊維の延伸方向に入射した照明光は概ね正反射方向へと反射されるが、細胞内腔の繊維の配列方向に入射した照明光は細胞内腔の角度によって正反射方向とは異なる方向へと反射される。この細胞内腔の角度が、位置によって変化することで「照り」の移動が生じると考えられる。
【０００５】
ここで、天然木を用いて「照り」の反射散乱特性を評価した結果を図１３に示す。図１３（ａ）は測定した木片の模式図である。図１３（ｂ）は木片にＹ方向から照明光を入射した際の反射散乱特性を示すグラフである。図１３（ｃ）は木片にＸ方向から照明光を入射した際の反射散乱特性を示すグラフである。なお、図１３（ａ）中のａ、ｂ、ｃは、木片における光強度の測定箇所である。また、図１３（ｂ）及び（ｃ）の横軸は受光角を示し、縦軸は光強度を示す。この反射散乱特性評価では、木片に対する光の入射角度を−３０度に設定した。
【０００６】
図１３（ｂ）に示すように、Ｙ方向から照明光を入射すると、正反射角度である３０度とは異なる角度に第２の反射ピークが確認された。また、測定箇所を変えると第２の反射ピーク角度が変化することが確認された。一方、図１３（ｃ）に示すように、Ｘ方向から照明光を入射すると、正反射角度にしか反射ピークは発生しなかった。すなわち、上述した繊維状の細胞内腔による異方性反射散乱特性が確認された。この異方性反射散乱特性が天然木の特徴の一つとなっている。しかしながら、従来の化粧シートでは、このような異方性反射散乱特性を再現することは難しかった。
【０００７】
そこで、本発明はこのような事情に鑑みてなされたものであって、異方性反射散乱特性を有するエンボスシートと、このエンボスシートを備えた化粧シートとを提供することを目的とする。
【課題を解決するための手段】
【０００８】
上記課題を解決するために、本発明の一態様に係るエンボスシートは、シート状の基材と、前記基材の一方の面側に設けられ、第１の方向と、前記第１の方向と平面視で交差する第２の方向とに互いに離間して配置された複数のレンズと、を備え、前記複数のレンズの各々は、入射した光を反射する反射主面と、前記反射主面と前記基材とを接続する接続面とを有し、前記第１の方向に平行な第１の断面において、前記反射主面の形状は、直線状又は、前記反射主面の２つの端点を結んだ直線と該端点とにおける接線とが交差する角度が０度以上４０度以下となる湾曲線状であり、前記第１の断面において、前記直線状である前記反射主面の中心部に平行な直線又は、前記湾曲線状である前記反射主面の中心部における接線と、前記基材の一方の面とが交差する角度を前記反射主面の傾斜角度としたとき、前記傾斜角度は−４０度以上４０度以下の範囲内であり、前記複数のレンズのうちの１つ以上のレンズは、前記複数のレンズのうちの他のレンズと前記傾斜角度が異なり、前記複数のレンズのうちの１つ以上のレンズは、前記複数のレンズのうちの他のレンズと前記第２の方向における長さが異なることを特徴とする。
【発明の効果】
【０００９】
本発明の一態様によれば、異方性反射散乱特性を有するエンボスシートと、このエンボスシートを備えた化粧シートとを提供することができる。
【図面の簡単な説明】
【００１０】
【図１】本発明の実施形態に係るエンボスシート１の構成例を示す図である。
【図２】レンズ２の第１の構成例を示す図である。
【図３】傾斜角度θ１の周期的な変動の一例を示すグラフである。
【図４】傾斜角度θ１の周期的な変動のパターンが異なる２つの領域を例示する図である。
【図５】レンズ２の第２の構成例を示す図である。
【図６】レンズ２の第３の構成例を示す図である。
【図７】レンズ２の第４の構成例を示す図である。
【図８】レンズ２の第５の構成例を示す図である。
【図９】レンズ２の第６の構成例を示す図である。
【図１０】レンズ２の配列の一例を示す図である。
【図１１】レンズ２の配列の他の例を示す図である。
【図１２】本発明の実施形態に係る化粧シート５の構成例を示す図である。
【図１３】天然木を用いた「照り」の反射散乱特性を評価した結果を示す図である。
【発明を実施するための形態】
【００１１】
以下、本発明の実施形態を図面を用いて説明する。ただし、以下に説明する全ての図面において相互に対応する部分には同一符号を付し、重複部分においては後述での説明を適宜省略する。また、本発明の実施形態は、本発明の技術的思想を具体化するための構成を例示するものであって、各部の材質、形状、構造、配置、寸法等を下記のものに特定するものでない。また、図面は模式的なものであり、各図における各部の長さ、厚さの寸法は現実のものとは異なり、それらの比等も現実のものとは異なる場合がある。本発明の技術的思想は、特許請求の範囲に記載された請求項が規定する技術的範囲内において、種々の変更を加えることができる。
【００１２】
＜エンボスシート＞
図１（ａ）及び（ｂ）は、本発明の実施形態に係るエンボスシート１の構成例を示す平面図と、この平面図を第１の方向に平行なＸ１−Ｘ’１線で切断した断面図である。図１（ａ）及び（ｂ）に示すように、エンボスシート１は、シート状の基材３と、基材３の一方の面３１側に設けられ、第１の方向と、第１の方向と平面視で交差する第２の方向とに互いに離間して配置された複数のレンズ２と、を備える。
なお、本実施形態において、第１の方向とは図１（ａ）に示す平面図における左右方向であり、第２の方向とは図１（ａ）に示す平面図における上下方向であり、他の図面においても同様とする。また、本実施形態では、第１の方向と第２の方向とが９０度で交差している（すなわち、直交している）場合を示しているが、これはあくまで一例である。本発明において、第１の方向と第２の方向は９０度以外の角度で交差していてもよい。
【００１３】
（１）基材
シート状の基材３は透光性を有し、その下方に配置される印刷面を透視可能とする程度に透光性を有することが望ましい。基材３は、無色透明であり（または、有色透明や半透明であってもよく）、着色剤や充填剤を含有していてもよい。なお、透明とは、表から裏が視認できる程度の透明度を指す。
【００１４】
（２）レンズ
複数のレンズ２の各々は、例えば、入射した光を反射する反射主面と、反射主面と基材３とを接続する接続面とを有する。第１の方向に平行な第１の断面において、反射主面２１の形状は直線状である。また、第１の断面において、反射主面２１の形状は、反射主面２１の２つの端点を結んだ直線と該端点とにおける接線とが交差する角度が０度以上４０度以下となる湾曲線状であってもよい。
第１の断面において、直線状である反射主面２１の中心部に平行な直線（または、湾曲線状である反射主面２１の中心部における接線）と、基材３の一方の面とが交差する角度を、反射主面２１の傾斜角度θ１としたとき、傾斜角度θ１は−４０度以上４０度以下の範囲内である。ここで、複数のレンズ２のうちの１つ以上のレンズ２は、複数のレンズ２のうちの他のレンズ２と傾斜角度θ１が異なる。つまり、複数のレンズ２において、傾斜角度θ１の大きさは不均一（ランダム）となっている。後述するように、本実施形態において、レンズ２の反射主面２１は、複数のレンズ２の配置位置に沿って変動（推移）したように設定されている。
【００１５】
また、複数のレンズ２のうちの１つ以上のレンズ２は、複数のレンズ２のうちの他のレンズ２と第２の方向における長さが異なる。また、レンズ２は、第１の方向に等間隔あるいは決められた範囲内で不規則（ランダム）に配置されている。長さの異なるレンズ２が第２の方向にランダムに配置されていることにより、見た目に関して、木の繊維の側面のような自然感を持たせることができる。
また、複数のレンズ２には、第２の方向に平行な第２の断面において、反射主面２４が直線状から曲線状に変形した形状のものもランダムに含まれる。これにより、反射光を散乱させやすくなるため、反射光の強弱を付けやすくなり、照りの表情を表現しやすくすることができる。
【００１６】
次に、レンズ２について、第１の構成例、傾斜角度θ１、第２〜第６の構成例について、それぞれ順に説明する。
（２．１）第１の構成例
図２（ａ）〜（ｃ）は、レンズ２の第１の構成例を示す平面図と、この平面図を第１の方向に平行なＸ２−Ｘ’２線で切断した断面図と、この平面図を第２の方向に平行なＹ２−Ｙ’２線で切断した断面図である。図２（ｂ）は第１の方向に平行な第１の断面を示し、図２（ｃ）は第２の方向に平行な第２の断面を示している。
【００１７】
図２（ａ）〜（ｃ）に示すように、レンズ２の平面形状は、例えば角丸矩形である。または、後述の図１１に示すように、レンズ２の平面形状は、円形若しくは楕円形であってもよい。レンズ２の第１の方向における長さをＤｘとし、レンズ２の第２の方向における長さＤｙとしたとき、Ｄｘは５０μｍ以上５００μｍ以下であり、１≦Ｄｙ／Ｄｘ≦１０、の関係を満たす（この関係を満たすとき、Ｄｙは５０μｍ以上５０００μｍ以下となる。）。Ｄｘ及びＤｙがそれぞれ５０μｍ以上であれば、回折光の影響によりレンズ２が虹色に光ることを防ぐことができる。
【００１８】
反射主面２１の第１の断面における形状は、例えば直線状である。この第１の断面において、直線状である反射主面２１の中心部に平行な直線２１１と基材３の一方の面３１とが交差する傾斜角度θ１は、−４０度以上４０度以下の範囲内（０度も含む）となっている。すなわち、第１の断面において、直線状の反射主面２１の中心部は、基材３の一方の面３１に対して±４０度の範囲内で傾斜している。±４０度の範囲内には０度も含まれる。このため、反射主面２１の中心部は、基材３の一方の面３１と平行となっていてもよい。接続面２２、２３の第１の断面における形状は、例えば湾曲線状である。
一方、第２の断面において、反射主面２４の形状は、直線状又は湾曲線状である。また、第２の断面において、接続面２５、２６の形状も、直線状又は湾曲線状である。
なお、本発明の実施形態を説明する各図では、レンズ２は凸形状で示されているが、レンズ２は凸形状に限定されるものではなく凹形状であってもよい。
【００１９】
（２．２）傾斜角度θ１
本実施形態において、複数のレンズ２のうちの一つ以上のレンズ２は、複数のレンズ２のうちの他のレンズ２と傾斜角度θ１が異なる。傾斜角度θ１は、レンズ２の配置位置によって、±４０度の範囲内（０度を含む）で異なる値をとるように任意に決定されている。
エンボスシート１に入射した光は、主として基材３の一方の面３１とレンズ２の反射主面２１とにて反射されるが、反射主面２１の傾斜角度θ１は、±４０度の範囲内でレンズ２間で異なる値をとる。このため、エンボスシート１は、基材３の一方の面３１で反射される正反射光のほかに、正反射とは異なる方向への反射光（第２の反射ピーク）を生じさせることが可能となる。
【００２０】
また、天然木の木目模様に現れる照りのある光沢を、より本物に近く再現する観点から、反射主面の傾斜角度θ１は、基材３の一方の面における複数のレンズ２の配置位置に沿って変動（推移）したように設定されている。傾斜角度θ１の変動範囲は、±４０度の範囲内である。
傾斜角度θ１は第１の方向に沿って変動していてもよく、第２の方向に沿って変動していてもよく、第１の方向及び第２の方向のそれぞれに沿って変動していてもよい。何れの場合も、その変動の範囲は±４０度である。また、傾斜角度θ１の第１の方向に沿う変動は周期的であってもよく、第２の方向に沿う変動も周期的であってよい。次に、傾斜角度θ１の周期的な変動について、具体例を挙げて説明する。
【００２１】
図３は、傾斜角度θ１の周期的な変動の一例を示すグラフである。図３の縦軸は第１の方向におけるレンズ２の配置位置を示し、図３の横軸は傾斜角度θ１の大きさを示す。図３に示すように、反射主面２１の傾斜角度θ１は、第１の方向に沿って、±４０度以下の範囲で変動する。例えば、傾斜角度θ１は、−３５度→−３０度、・・・−５度→０度→＋５度→・・・＋３０度→＋３５度・・・といったように周期的に変動してもよい。また、傾斜角度θ１は上記のように５度刻みで周期的に変動してもよいが、それよりも細かい刻み値（例えば、１度以下）で周期的に変動してもよい。傾斜角度θ１の刻み値が細かいほど、視点や照明角度を変更した際に生じる第２のピーク角度の移動が滑らかになって望ましい。一方、傾斜角度θ１の刻み値が大きいほど製造プロセスが簡略化される。
また、上述した傾斜角度θ１の周期的な変動のパターン（変動周期、変動振幅等）は、基材３の一方の面側の複数の領域間で互いに異なっていてもよい。例えば、反射主面２１の傾斜角度θ１が周期的に変動する際、変動周期は１種類でもよいが２種類以上でもよく、また１周期内の傾斜角度θ１の変動範囲（変動振幅）も１種類でもよいが２種類以上であってもよい。
【００２２】
図４（ａ）及び（ｂ）は、傾斜角度θ１の周期的な変動のパターンが異なる２つの領域を例示する平面図である。例えば、図４（ａ）に示す第１の領域では、傾斜角度θ１の変動周期は５０ｍｍであり、傾斜角度θ１の変動振幅は±３５度の範囲である。図４（ａ）に示す第２の領域では、傾斜角度θ１の変動周期は２０ｍｍであり、傾斜角度θ１の変動は±２０度の範囲である。
なお、傾斜角度θ１の周期的な変動のパターンが互いに異なる領域が隣接している場合には、各領域内だけでなく、隣接している領域間でも傾斜角度θ１の変動が連続していることが望ましい。
【００２３】
また、傾斜角度θ１は、隣接するレンズ２間でそれぞれ異なる値としてもよいし、隣接する複数のレンズ２を１単位として、単位毎に異なる値としてもよい。例えば第１の方向に並ぶ１０個のレンズ２を１単位とし、この１単位内においては傾斜角度θ１を同一の値とし、異なる単位間では傾斜角度θ１を異なる値としてもよい。また、１単位に含まれるレンズ２の個数は、各単位間で同一の個数としてもよいし、各単位間で異なる個数としてもよい。
以上、傾斜角度θ１の第１の方向に沿う周期的な変動について具体例を挙げて説明したが、傾斜角度θ１の第２の方向に沿う周期的な変動も第１の方向の場合と同様である。この場合、図３では、横軸が示す「第１の方向におけるレンズ２の配置位置」を、「第２の方向におけるレンズ２の配置位置」と読み替えてよい。また、傾斜角度θ１の第２の方向に沿う周期的な変動のパターン（変動周期、変動振幅等）は、図４（ｂ）に示す第１、第２の領域間で互いに異なっていてもよい。
【００２４】
また、本実施形態では、第１の方向における傾斜角度θ１の最大差は、第２の方向における傾斜角度θ１の最大差よりも大きくてもよい。傾斜角度θ１の最大差は、図３に示した変動振幅で示される。このように、第１の方向における傾斜角度θ１の変動が、第２の方向における傾斜角度θ１の変動よりも大きい場合には、面内の散乱反射の異方性をよりその方向（第１の方向）に線状・帯状にみせることができる。
また、本実施形態では、上記とは逆に、第２の方向における傾斜角度θ１の最大差は、第１の方向における傾斜角度θ１の最大差よりも大きくてもよい。つまり、第２の方向における傾斜角度θ１の変動は、第１の方向における傾斜角度θ１の変動よりも大きくてもよい。この場合には、面内の散乱反射の異方性をよりその方向（第２の方向）に線状・帯状にみせることができる。
また、実木では、木によって照りの面内の偏りは異なり、縦、横だけでなく斜めにも偏りをもつことがある。このため、面内の散乱反射の異方性が第１の方向に強い領域と、第２の方向に強い領域とをそれぞれ作り、これらを組み合わせてもよい。これらの組み合わせによって色々な木目柄を作成することができるようになる。
【００２５】
（２．３）第２の構成例
図５は、レンズ２の第２の構成例を示す断面図である。図５に示す断面図は、第１の方向に平行な第１の断面を示している。図５に示すように、第１の断面において、レンズ２は、曲率半径ｒ１で湾曲した反射主面２１と、ｒ１より小さい曲率半径ｒ２で湾曲した接続面２２、及び曲率半径ｒ３で湾曲した接続面２３とを有してもよい。ここで曲率半径ｒ２とｒ３は同一の値であってもよいし、異なる値であってもよい。
第１の断面において、反射主面２１が直線である揚合、第２の反射ピークの幅が狭くなってしまう傾向があるが、図１３に示したように、天然木では第２の反射ピークはある程度の角度範囲を持つ。このため、反射主面２１は完全な直線であるよりは、図５に示すように、ある程度湾曲していることが望ましい。具体的には、反射主面２１の２つの端点を結んだ直線２１２と、反射主面２１の２つの端点における接線２１３、２１４とがそれぞれ交差する角度θ２、θ３はそれぞれ０度以上２０度以下であることが望ましい。その理由は、反射主面２１は基材３の一方の面３１に対して±４０度の範囲で傾斜していることで、基材３の一方の面３１による正反射ピークに対して第２の反射ピークを生じさせることができるが、角度θ２、θ３の少なくとも一方が２０度を超えてしまうと曲率半径ｒ１が小さくなりすぎてしまい、傾斜角度θ１の変動が意味を成さなくなるからである。
【００２６】
（２．４）第３の構成例
図６（ａ）〜（ｃ）は、レンズ２の第３の構成例を示す平面図と、この平面図を第１の方向に平行なＸ６−Ｘ’６線で切断した断面図と、この平面図を第２の方向に平行なＹ６−Ｙ’６線で切断した断面図である。図６（ｂ）は第１の方向に平行な第１の断面を示し、図６（ｃ）は第２の方向に平行な第２の断面を示している。
図６（ａ）〜（ｃ）に示すように、第１の断面において、レンズ２は、反射主面２１の片端が基材３の一方の面３１に直に接続されていてもよく、接続面２２、２３のうちの一方は省略されていてもよい。第２のピークを生じさせる機能は反射主面２１であるため、接続面２２、２３は必要に応じて省略してもよい。ただし当然ながら、反射主面２１が直線且つ反射主面２１と基材３の一方の面３１とのなす角度が０度である場合においては、反射主面２１の両端に接続面２２、２３は必要であり、これを省略することはできない。なお、接続面２２、２３は、図５に示すように円弧状でもよく、または、後述の図７に示すように、その一部又は全部が直線状であってもよい。
【００２７】
（２．５）第４の構成例
図７は、レンズ２の第４の構成例を示す断面図である。図７に示す断面図は、第１の方向に平行な第１の断面を示している。
図７に示すように、反射主面２１の一端と基材３の一方の面３１とを接続する接続面２２は、直線と曲率半径ｒ２の円弧とを組み合わせた形状であってもよい。この場合、エンボスシート１を成形する際の型抜けを良くすることができる。また、反射主面２１の他端と基材３の一方の面３１とを接続する接続面２３は、曲率半径ｒ３の円弧状であってもよい。
エンボスシート１に入射した光のうち一部の光は接続面２２、２３に入射する。レンズ２において、接続面２２、２３に入射した光は散乱反射させることが望ましいため、接続面２２、２３に円弧領域を設けることが望ましい。
【００２８】
（２．６）第５の構成例
図８（ａ）〜（ｃ）は、レンズ２の第５の構成例を示す断面図である。図８（ａ）〜（ｃ）に示す断面図は、第２の方向に平行な第２の断面を示している。
図８（ａ）〜（ｃ）に示すように、第２の断面において、レンズ２は、曲率半径ｒ’１で湾曲した反射主面２４と、反射主面２４と基材３の一方の面３１とを接続する接続面２５、２６とを有してもよい。ここで接続面２５、２６の断面形状は図８（ａ）のように直線であってもよいし、図８（ｂ）のように直線とｒ’１よりも小さな曲率半径ｒ’２、ｒ’３で湾曲した部分からなってもよいし、図８（ｃ）のように波形からなってもよい。このとき、接続面２５、２６の一方のみが直線でもう一方が波形であるなど組み合わせも自由でよい。
このとき、接続面２５、２６それぞれと基材３の一方の面３１との接続部における接線（または、直線）の角度θ２、θ３は０度以上４０度以下であることが望ましく、３０度以下だとより好ましい。このθ２、θ３が４０度以下であることにより、エンボスシート１を成型する際に樹脂の流れ込みが容易になったり、型抜けを良くしたりすることができる。
【００２９】
（２．７）第６の構成例
図９は、レンズ２の第６の構成例を示す断面図である。図９に示す断面図は、第２の方向に平行な第２の断面を示している。
図９に示すように、第２の断面において、レンズ２は、曲率半径ｒ”１で湾曲した円弧状のみからなる形状であってもよい。ただし曲率半径ｒ”１はレンズ２の第２の方向の長さよりも大きいものとする。レンズ２における反射主面が円弧状からなることにより、反射主面で反射される光が拡散されるため、第２の方向に同じ長さをもつレンズ２同士であっても特定方向への反射光量を変化させることができる。
【００３０】
（３）レンズの配列
次に、レンズ２の配列について、第１、第２の構成例を挙げて説明する。
（３．１）第１の構成例
図１０は、本発明の実施形態に係るレンズ２の配列の一例を示す平面図である。図１０に示すように、エンボスシート１に設けられた複数のレンズ２は、第１の方向と、第１の方向と平面視で交差する第２の方向とに互いに離間して配置されている。ここで、複数のレンズ２のうちの１つ以上のレンズ２は、他のレンズ２と第２の方向における長さＤｙが異なる。つまり、複数のレンズ２において、レンズ２の第２の方向における長さＤｙは不均一となっている。レンズ２の第１の方向における長さＤｘは均一でもよいし、不均一（ランダム）でもよい。
【００３１】
また、複数のレンズ２のうち、第２の方向で隣り合う一対のレンズ２の重心間距離は、第２の方向で隣り合う他の一対のレンズ２の重心間距離と長さが異なる。例えば、図１０において、一対のレンズ２の重心間距離Ｌ１、Ｌ２、Ｌ３は、Ｌ１＝Ｌ３≠Ｌ２となっている。一例を挙げると、重心間距離Ｌ１、Ｌ２、Ｌ３は、それぞれ０．０５ｍｍ以上６ｍｍ以下である。
また、複数のレンズ２のうちの第２の方向で隣り合う一対のレンズ２の離間距離は、第２の方向で隣り合う他の一対のレンズ２の離間距離と長さが異なる。例えば、図１０において、一対のレンズ２の離間距離Ｇ１、Ｇ２、Ｇ３は、Ｇ１＝Ｇ３≠Ｇ２となっている。このように、第２の方向におけるレンズ２の配置間隔は不均一（ランダム）となっている。これにより、下記ａ）、ｂ）の効果を得ることができる。
【００３２】
ａ）木の繊維の自然感を出すことができる。
ｂ）基材３に対してレンズ２は照りピークを出すために存在している。このため、一定の角度で見ると入射光に対しレンズ２が光り基材３は光らないという状態にある。その際、レンズ２の長さを工夫することでエンボスシート１の光る部分がランダムであるのに対し、光らない部分が単調に存在すると人の目には人工的に見えてしまう。そのため、エンボスシート１の光らない部分もランダムに存在させることで、より自然な見た目にすることができる。
また、図１０に示すように、複数のレンズ２は、複数のレンズ２が第２の方向に重心を揃えて列を成すレンズ群を複数構成している。これら複数のレンズ群において、第１の方向で隣り合う一対のレンズ群の間隔は、第１の方向で隣り合う他の一対のレンズ群の間隔と長さが異なる。ここで、レンズ群の間隔とは、一方のレンズ群の第２の方向に沿う中心線と、他方のレンズ群の第２の方向に沿う中心線との間の距離のことである。中心線は、各レンズ２の重心の第１の方向における平均の位置を示す線である。
【００３３】
例えば、図１０では、中心線を第２の方向に沿う破線で示しているが、第１の方向で隣り合う一対のレンズ群の間隔Ｗ１、Ｗ２は、Ｗ１≠Ｗ２となっている。つまり、第１の方向におけるレンズ群の配置間隔Ｗ１、Ｗ２、…は不均一（ランダム）となっている。一例を挙げると、配置間隔Ｗは、０．０６ｍｍ以上０．６ｍｍ以下である。このように、レンズ群の配置間隔が不均一となっていることにより、上記ａ）、ｂ）と同様の効果を得ることができる。
なお、本実施形態では、第１の方向で隣り合うレンズ群の配置は均一（等間隔）であってもよい。レンズ群の配置が等間隔となっている場合には、下記ｃ）の効果を得ることができる。
【００３４】
ｃ）レンズ群の配置が第１の方向にも第２の方向にもランダムすぎると木の繊維感が失われてしまう。このため、隣り合うレンズ群の配置間隔を第１の方向（レンズ２の長手方向に平行な方向）である程度（等間隔〜あまり乱れていると感じない程度のランダムに）そろえることで、レンズ群に束感を持たせることができ、木の繊維感を演出することができる。
また、本実施形態では、レンズ２の第１の方向の巾をＤｘとしたとき、第１の方向で隣り合うレンズ群の間隔Ｗ（例えば、Ｗ１、Ｗ２、…）は、１．２≦Ｗ≦２、の条件を満たすことが望ましい。この条件を満たすことにより、下記ｄ）の効果を得ることができる。
ｄ）レンズの巾が第１の方向にも第２の方向にもランダムすぎると木の繊維感が失われてしまう。このため、レンズの巾を第１の方向（レンズ２の長手方向に平行な方向）である程度（等しい長さ〜あまり乱れていると感じない程度のランダムに）そろえることで、レンズ群に束感を持たせることができ、木の繊維感を演出することができる。
【００３５】
（３．２）第２の構成例
図１１は、レンズ２の配列の他の例を示す平面図である。図１１は、レンズ２の平面形状が楕円形の場合を例示している。
図１１において、各レンズ２は第２の方向に重心同士が０．０５ｍｍ以上６ｍｍ以下の間隔で並んでいる。つまり、第２の方向で隣り合うレンズ２同士の重心間距離をＬとしたとき、Ｌは０．０５ｍｍ以上６ｍｍ以下となっている。また、各レンズ群のうちシートの最上段に位置するレンズ２を基準レンズとしたとき、各レンズ２は基準レンズを起点として、第２の方向に向けて直線状に並んでいる。各レンズ群において、各レンズ２の重心の第１の方向における平均の位置を中心線としたとき、各レンズ２は中心線から第１の方向に多少位置ずれしていてもよく、その位置ずれ量の許容範囲は例えば基準レンズの巾Ｄｘの１／３以内である。また、各レンズ群において、各レンズ２の長手方向は、第２の方向に必ずしも平行でなくてもよい。
各レンズ群の中心線同士は０．０６ｍｍ以上０．６ｍｍ以下の間隔で離れている。つまり、第１の方向で隣り合うレンズ２郡同士の中心線間距離（配置間隔）をＷとしたとき、Ｗは０．０６ｍｍ以上０．６ｍｍ以下となっている。エンボスシート１において、複数のレンズ群のそれぞれの配置間隔Ｗは、一定の値でもよいし、一定の値でなくてもよい。
【００３６】
（４）粗面化
エンボスシート１に入射した光を散乱反射させる手法として、エンボスシート１の基材３の一方の面３１及びレンズ２の表面の少なくとも一方を粗面化してもよい。エンボスシート１を成形する際の型を粗面化することで、粗面をエンボスシート１に転写してもよく、またはエンボスシート１を直接粗面化してもよい。または微粒子を含有したコーティングをエンボスシート１に施してもよい。このとき、表面粗さ（算術平均粗さ）Ｒａは０．０１μｍ以上２０μｍ以下の範囲であることが望ましい。０．０１μｍ以下はほとんど鏡面といっても差支えなく望むような散乱特性を得ることができず、一方で２０μｍを超えるとレンズ２の機能が低下するためである。すなわち、基材３の一方の面３１及びレンズ２の表面の少なくとも一方の表面粗さＲａが０．０１μｍ以上２０μｍ以下である場合、適度な角度範囲の方向に亘って光を反射させつつ、好適な散乱特性を得ることができる。
【００３７】
（５）レンズの面積率
エンボスシート１におけるレンズ２の面積率を調整することで、第２の反射ピークの強度を調整することができる。ここで、レンズ２の面積率とは、エンボスシート１の一方の面３１の単位面積当たりにおけるレンズ２の反射主面２１の面積と定義される。レンズ２の面積率は任意に設定可能だが、望ましくは１％以上７０％以下の範囲である。レンズ２の面積率が１％を下回ると、レンズ２が少なすぎ第２の反射ピークが弱過ぎるためである。また、レンズ２の面積率が１％を下回ると、レンズ２の配置が疎らになり、レンズ２が１つ１つの点状に視認され易くなるためである。一方で、レンズ２の面積率が７０％を超えると、基材３の一方の面３１の平坦部が少なくなり過ぎて、エンボスシート１による反射光の大部分がレンズ２によるものとなってしまい、望ましくないためである。
【００３８】
エンボスシート１におけるレンズ２の面積率は１％以上７０％以下の範囲で設定されることが望ましく、基材３の一方の面３１内において面積率は一定でもよく、または箇所によってレンズ２の面積率を変動（疎密分布）させてもよい。すなわち、第２の反射ピークの強弱をエンボスシート１面内で表現したい場合、例えば第２の反射ピークを弱くしたい領域はレンズ２の面積率を１〜２０％の範囲に設定し、第２の反射ピークを強めたい領域はレンズ２の面積率を５０〜７０％に設定し、その中間にしたい領域はレンズ２の面積率を２０〜５０％と設定することができる。
【００３９】
上述した通り、レンズ２は基材３の一方の面３１に対して面積率が１％以上７０％以下の範囲で配置される。第２のピーク強度を大きくしたい場合は、レンズ２の面積率を高く設定するか、第２の断面において反射主面２４が直線に近い形状のレンズ２を多く用いる。また、第２のピーク強度を小さくしたい場合は、レンズ２の面積率を低く設定するか、第２の断面において反射主面２４が湾曲したレンズ２を多く用いて反射光を散乱させる。
また、エンボスシート１の面内において、領域毎にレンズ２の面積率を変動させたり、領域毎にレンズ２の種類を変えたりすることで、面内における第２のピーク強度の強弱を表現することもできる。
【００４０】
＜化粧シート＞
図１２は、本発明の実施形態に係る化粧シート５の構成例を示す断面図である。化粧シート５は、合板等に貼り合わせることで内装や家具の表面材に使用されるものである。
図１２に示すように、化粧シート５は、シート状の下層基材６と、下層基材６上に設けられた木目柄の印刷面（印刷層とも称される）４と、下層基材６との間で印刷面４を挟み込むように下層基材６上に配置されたエンボスシート１と、を備える。下層基材６の材料は特に限定されないが、例えば熱可塑性樹脂を用いることができる。下層基材６の好適な材料の一例としては、ランダムＰＰ（ポリプロビレン）やＨＤＰＥ（高密度ポリエチレン）などを挙げることができ、これら熱可塑性樹脂に有機又は無機の顔料を添加してもよい。
【００４１】
印刷面４に用いられるインキとしては、例えばウレタン樹脂バインダーに有機又は無機の顔料を添加したものを好適に用いることができるが、これに限定されるわけではない。化粧シート５の下層基材６とエンボスシート１との界面（印刷面４）に接着層（図示せず）を追加してもよい。接着層としては、例えばポリプロピレン系の接着性樹脂などを用いることができるが、これに限定されるわけではなく、下層基材６とエンボスシート１との密着性等を考慮して適宜選択することができる。また、ポリエステルポリオールにイソシアネート系を混合したアンカー層を下層基材６と接着層との間に迫加してもよい。また、エンボスシート１表面に、図示しないオーバーコート層（トップコート層とも称される）を設けてもよい。
【００４２】
＜製造方法＞
次に、エンボスシート１の製造方法について説明する。エンボスシート１はレンズ２を形成する版を用いて、押出成形法、射出成型法、あるいは熱プレス成型法によって、基材３とレンズ２とを一体に成形することができる。用いる樹脂としては、例えば、ポリエチレンテレフタレート（ＰＥＴ）、ポリエチレン−２、６−ナフレート、ポリプロピレンテレフタレート、ポリブチレンテレフタレート、シクロヘキサンジメタノール共重合ポリエステル樹脂、イソフタル酸共重合ポリエステル樹脂、スポログリコール共重合ポリエステル樹脂、フルオレン共重合ポリエステル樹脂等のポリエステル系樹脂、ポリエチレン、ポリプロピレン（ホモポリマー、ランダムコポリマー、ブロックコポリマー）、ポリメチルペンテン、脂環式オレフィン共重合樹脂等のポリオレフィン系樹脂、ポリメチルメタクリレート等のアクリル樹脂、ポリカーボネート、ポリスチレン、ポリアミド、ポリエーテル、ポリエステルアミド、ポリエーテルエステル、ポリ塩化ビニル、シクロオレフィンポリマー、ポリアクリロニトリル共重合体、アクリロニトリルスチレン共重合体、およびこれらを成分とする共重合体、またこれら樹脂の混合物などを挙げることができ、特に制限されることはない。これらの樹脂に例えば紫外線吸収剤や光安定剤等を添加してもよい。
【００４３】
または上記熱可塑性樹脂を用いて、押出成形法、射出成型法によって基材３を成形して後、レンズ２を形成する版を用いて、熱プレス法、紫外性硬化成形法、電子線硬化成形法等によってレンズ２を形成してもよい。
このようなエンボスシート１は木目柄の化粧シート５の印刷面４の上に配置することで、リアルな木目感を表現することができる。エンボスシート１には上述したレンズ２だけでなく、導管を表現する凹部、または凸部（図示せず）を設けてもよい。よりリアルな木目感を表現することができるためである。またエンボスシート１表面にオーバーコート層（図示せず）を設けてもよい。
【００４４】
化粧シート５の基材３としては特に限定はされないが上述したエンボスシート１に用いられる熱可塑性樹脂を用いてもよい。好適な材料の一例としてはランダムＰＰ（ポリプロピレン）、ＨＤＰＥ（高密度ポリエチレン）などが挙げられ、これら熱可塑性樹脂に有機、無機の顔料が添加されてもよい。
印刷面４に用いられるインキとしては、例えばウレタン樹脂バインダーに有機、無機の顔料を添加したものが好適に用いられるがこれに限定されない。
また化粧シート５の基材３とエンボスシート１との界面（印刷面４）において、接着層（図示せず）を追加してもよい。接着層は例えばポリプロピレン系の接着性樹脂などが用いられるがこれに限定されない。化粧シート５の基材３とエンボスシート１の密着性等を考慮して適宜選択することができる。また、ポリエステルポリオールにイソシアネ―ト系を混合したアンカー層を化粧シート５の基材３と接着層との間に追加してもよい。
【００４５】
エンボスシート１表面のオーバーコート層材料としては、例えばアクリルポリオールにイソシアネート系を混合した樹脂に紫外線吸収剤や光安定剤等が添加されたものを用いることができるが特に限定はされない。
本発明の実施形態に係る化粧シート５は正反射ピークと、箇所によって異なる角度である第２の反射ピークとを有するエンボスシート１を有しているため、天然木の木目で生じる「照り」が表現される、よりリアルな木目柄の化粧シート５を得ることができる。
【００４６】
＜実施形態の効果＞
（１）本発明の実施形態によれば、エンボスシート１は、基材３の一方の面とのなす角度が異なる反射主面を備えたレンズ２が配列される。このため、第１の方向においては基材３の一方の面における正反射角度とは異なる角度に反射光を射出することができる。更に、反射主面の中心部に接する直線（または、接線）と基材３の一方の面とのなす角度が異なるレンズ２が多数配置されるため、箇所によってはその反射光角度を自由に設計することができる。
一方で、第２の方向においては、反射主面は円弧状である（または、波線状でもよい）ため特定の反射ピークを有しない散乱反射光を射出することができる。すなわち上述した異方性散乱反射特性を表現することができる。
【００４７】
（２）また、レンズ２を第１の方向に規則的に配置し、第２の方向に長さが異なるものを用いて配置することで、シート内のレンズ２の配置を工夫することができ、木目の絵柄に対して照りとなる反射光を並べやすくなるほか、見た目に関しても、木の繊維のような自然感を持たせることができる。このようなエンボスシート１を備えることで、化粧シートに木の「照り感」を付与することができる。
【００４８】
（３）異なる周期性を持った模様同士が重なるとき、モアレが発生する場合がある。印刷面やオーバーコート層の塗布に使われるグラビア製版では版の目に周期がある。レンズ２の配置を規則的にすると周期が生まれ、それが印刷面やオーバーコート層のグラビア版の周期と重なりもモアレが発生することがある。これについて、グラビア版の目を変えることは困難だが、本実施形態では、レンズ２の配置を不規則にする（ランダム性を持たせる）ことで回避することができる。
【００４９】
（４）同じ大きさのレンズ２が規則的に配列されているとき、指先で擦るとレンズ２特有の擦れ音が発生し、周期によってその音は増幅され高くなる。レンズ２の大きさや配置をランダムにすることで周期による音の増幅がなくなり、擦れ音が自然な程度になる。また同じ大きさのレンズ２が規則的に並んだ状態では、触感も淡々とぶつぶつとしたものであり、無機質である。これについて、本実施形態では、レンズ２の大きさや配置がランダムになることで自然な木肌のような凹凸に波のあるざらざらとしたものになる。レンズ２の大きさや配置がランダムになることで、より天然木に近い障り心地を再現することができる。
【００５０】
＜その他＞
本発明の技術的思想は、以上に記載した実施形態に特定されるものではない。当業者の知識に基づいて、本発明の実施形態に設計の変更等を加えてもよく、また、実施形態に記載の各構成例を任意に組み合わせてもよく、そのような変更が加えられた態様も、本発明の技術的思想に含まれる。
【符号の説明】
【００５１】
１  エンボスシート
２  レンズ
３  基材
４  印刷面
５  化粧シート
６  下層基材
２１  （第１の断面における）反射主面
２２、２３  （第１の断面における）接続面
２３  （第１の断面における）接続面
２４  （第２の断面における）反射主面
２５、２６  （第２の断面における）接続面
３１  一方の面
２１１、２１２、直線
２１３、２１４  接線
【図１】
2017128089.tif 000003
【図２】
2017128089.tif 000004
【図３】
2017128089.tif 000005
【図４】
2017128089.tif 000006
【図５】
2017128089.tif 000007
【図６】
2017128089.tif 000008
【図７】
2017128089.tif 000009
【図８】
2017128089.tif 000010
【図９】
2017128089.tif 000011
【図１０】
2017128089.tif 000012
【図１１】
2017128089.tif 000013
【図１２】
2017128089.tif 000014
【図１３】
2017128089.tif 000015